(57)【要約】【課題】静電吸着により媒体搬送体に記録媒体を吸着させて記録媒体を印字部まで搬送する記録装置において、吸着させた媒体搬送体から記録媒体を剥離する前後において、単一の除電手段により記録媒体の除電を行うインクジェット記録装置を提供する。【解決手段】  記録媒体に電荷を与える帯電器と、この帯電器により帯電された記録媒体を静電吸着力により保持して搬送する搬送体と、この搬送体に対向して配置され、搬送体により搬送される記録媒体上にインクを供給し画像を形成する記録ヘッドとを備え、記録ヘッドよりも搬送体による記録媒体の搬送方向下流側に、搬送体に対向して配置される単一の除電器を用いて、搬送体から剥離される前後の記録媒体部分を除電することを特徴とするインクジェット記録装置を提供する。【選択図】図２
2012006382.tif 000002
【特許請求の範囲】
【請求項１】
記録媒体に電荷を与える帯電器と、
前記帯電器により帯電された記録媒体を静電吸着力により保持して搬送する搬送体と、
前記搬送体に対向して配置され、前記搬送体により搬送される記録媒体上にインクを供給し画像を形成する記録ヘッドと、
前記記録ヘッドよりも前記搬送体による記録媒体の搬送方向下流側に、前記搬送体に対向して配置され、前前記搬送体から剥離される前後の記録媒体部分を除電する単一の除電器と、
を有することを特徴とするインクジェット記録装置。
【請求項２】
前記搬送体に接触し、前記除電器により除電された記録媒体を前記搬送体から引き離す剥離部材を有することを特徴とする請求項１に記載のインクジェット記録装置。
【請求項３】
前記除電器は、前記搬送体と前記剥離部材の接触点を通る直線上で、記録媒体の搬送方向における前記搬送体と前記剥離部材との接触点の前後の領域に除電電位を付与する位置に設けられることを特徴とする請求項２に記載のインクジェット記録装置。
【請求項４】
前記搬送体は、回転可能なドラムであることを特徴とする請求項１乃至３に記載のインクジェット記録装置。
【請求項５】
前記除電器は、記録媒体が剥離される前と剥離された後の記録媒体に同等量の電荷を与える位置に配置されることを特徴とする請求項１乃至４記載のインクジェット記録装置。
【請求項６】
静電吸着力により記録媒体を搬送体に保持して搬送し、
前記搬送体により搬送される記録媒体上に記録ヘッドよりインクを供給し画像を形成し、
前記記録ヘッドよりも前記搬送体による記録媒体の搬送方向下流側に設けられる単一の除電器を用いて、前記搬送体から剥離される前後の記録媒体部分を除電することを特徴とするインクジェット記録装置の記録媒体剥離方法。
【請求項７】
前記搬送体に接触し、前記除電器により除電された記録媒体を前記搬送体から引き離す剥離部材を有し、前記剥離部材により除電が行われた記録媒体を前記搬送体から引き離すことを特徴とする請求項６に記載のインクジェット記録装置の記録媒体剥離方法。
【請求項８】
前記搬送体と前記剥離部材の接触点を通る直線上で、記録媒体の搬送方向における前記搬送体と前記剥離部材との接触点の前後の領域に除電電位を付与する位置に設けられる除電器により記録媒体の除電を行うことを特徴とする請求項７記載のインクジェット記録装置の記録媒体剥離方法。
【発明の詳細な説明】
【技術分野】
【０００１】
本発明の実施形態は、インクジェット記録装置およびインクジェット記録装置の記録媒体剥離方法に関する。
【背景技術】
【０００２】
従来、静電吸着力で記録媒体をドラム等の媒体搬送部に貼り付けて、記録媒体を記録ヘッド部に搬送し、印字を行うインクジェット記録装置が知られている。このようなインクジェット記録装置においては、ドラムに張り付いた記録媒体は、除電チャージャにより交流電荷を与えて、記録媒体の電荷を除去した後、剥離ツメでドラムから引き離されていた。しかしながら、このように、記録媒体がドラムから引き離される際、剥離時の放電により記録媒体は再度帯電する可能性がある。
【先行技術文献】
【特許文献】
【０００３】
【特許文献１】特開平１０−１３８５８８公報
【発明の概要】
【発明が解決しようとする課題】
【０００４】
そこで、本発明が解決しようとする課題は、静電吸着により媒体搬送体に記録媒体を吸着させて記録媒体を印字部まで搬送する記録装置において、吸着させた媒体搬送体から記録媒体を剥離する前後において、単一の除電手段により記録媒体の除電が可能なインクジェット記録装置を提供することである。
【課題を解決するための手段】
【０００５】
本発明の実施形態におけるインクジェット記録装置は、記録媒体に電荷を与える帯電器と、前記帯電器により帯電された記録媒体を静電吸着力を利用して保持して搬送する搬送体と、前記搬送体に対向して配置され、前記搬送体により搬送される記録媒体上にインクを供給し画像を形成する記録ヘッドと、前記搬送体に対向して配置され、前記記録ヘッドにより画像が形成された記録媒体を前記搬送体より剥離する剥離箇所において、前記搬送体から剥離される前の記録媒体を除電し、かつ前記搬送体から剥離された後の記録媒体を除電する単一の除電器とを備える。
【図面の簡単な説明】
【０００６】
【図１】インクジェット記録装置の概略構成図。
【図２】画像形成部周辺の概略構成図。
【図３】除電チャージャの除電領域を示す概略図。
【図４】除電チャージャの除電領域の変形例を示す概略図。
【発明を実施するための形態】
【０００７】
以下、本発明における実施の形態を図１乃至図４を参照して説明する。
【０００８】
図１は、本発明の実施の一形態が適用されるインクジェット記録装置を概略的に示す断面図である。インクジェット記録装置１は、記録媒体である用紙Ｓに対して液滴を吐出して、用紙Ｓ上に文字や画像を形成することができる。
【０００９】
インクジェット記録装置１は、各要素を収納・配置する筐体２を有する。筐体２の下方には、記録媒体である用紙Ｓを収納する用紙カセット４が設けられている。用紙カセット４には、ピックアップローラ９が設けられており、このピックアップローラ９により用紙カセット４に収納されている用紙Ｓが１枚ずつピックアップされ、搬送部１３に供給される。
【００１０】
搬送部１３は、送りローラ対１４を有し、送りローラ対１４の回転により用紙カセット４から供給された用紙を画像形成部１５に搬送する。図１中の矢印は、用紙Ｓの搬送経路を示す。
【００１１】
画像形成部１５は、用紙Ｓの搬送体である回転可能な搬送ドラム２０と、この搬送ドラム２０の周りに用紙Ｓを帯電させる帯電器である帯電ローラ２２と、記録ヘッドのメンテナンスを行うメンテナンスユニット２４と、回転して用紙Ｓと接触するスターホイール２６と、用紙Ｓに原稿画像を記録する記録ヘッド部１８が配置されている。画像形成部１５の詳細については後述する。
【００１２】
画像形成部１５において画像が形成された用紙Ｓを除電チャージャ２５により除電し、剥離ツメ２７により搬送ドラム２０より剥離する。用紙Ｓは、搬送ドラム２０から剥離される間さらには剥離された後も、さらに除電チャージャ２５により除電され、ローラ対２８により搬送路を搬送され、排紙トレイ２９に排出される。用紙Ｓの搬送ドラム２０からの剥離の詳細な説明は後述する。
【００１３】
図２を用いて画像形成部１５を詳細に説明する。図２は、画像形成部１５周辺の構成を示した概略構成図である。上述したように、画像形成部１５は、搬送ドラム２０と、帯電ローラ２２と、メンテナンスユニット２４と、スターホイール２６と、記録ヘッド部１８を有する。記録ヘッド部１８には記録ヘッドとして４つのインクジェットヘッド３０ｋ、３０ｃ、３０ｍ、３０ｙとを含む。
【００１４】
搬送ドラム２０は、例えば、画像を記録する用紙Ｓの長さよりも長い円周長を有しており、導体であるアルミニウムの円筒フレーム２０ａとその表面の薄い絶縁層２０ｂを有する。帯電ローラ２２は、搬送ドラム２０に接触してニップを形成するように設けられ、金属の回転軸を有する。
【００１５】
本実施形態における記録ヘッド部１８には、イエロ（Ｙ）、マゼンタ（Ｍ）、シアン（Ｃ）、ブラック（Ｋ）の４色のインクを射出する４個のインクジェットヘッド３０ｋ、３０ｃ、３０ｍ、３０ｙが用紙Ｓの搬送方向に並んでいる。この４個のインクジェットヘッド３０ｋ、３０ｃ、３０ｍ、３０ｙのノズルからのインクの吐出により用紙Ｓ上に画像が形成される。
【００１６】
スターホイール２６は、記録ヘッド部１８に設けられ、インクの付着により搬送ドラム２０から用紙Ｓが浮き上がるのを抑え、インクジェットヘッド３０ｋ、３０ｃ、３０ｍ、３０ｙによる印字の間、各インクジェットヘッドと用紙Ｓの間の距離を一定にするための部材である。
【００１７】
送りローラ対１４により用紙カセット４から画像形成部１５に搬送された用紙Ｓは、搬送ドラム２０と帯電ローラ２２とのニップに搬送される。用紙Ｓがニップに搬送される直前に帯電ローラ２２の金属軸に高電圧が印加されることにより、ニップに搬送された用紙Ｓが帯電されて搬送ドラム２０の表面上に静電吸着力により吸着される。
【００１８】
そして搬送ドラム２０の回転によりインクジェットヘッド３０ｋ、３０ｃ、３０ｍ、３０ｙに対向する位置まで搬送されて用紙Ｓ上に画像が形成される。記録ヘッドの構成にも拠るが、必要に応じて、用紙Ｓを吸着したまま搬送ドラム２０が予め設定された回転数だけ回転して画像を完成させる。
【００１９】
例えば、用紙Ｓを搬送ドラム２０に静電吸着させたまま、２回転させる場合、記録ヘッド部１８を、用紙Ｓが通過する毎にインクジェットヘッド３０ｋ、３０ｃ、３０ｍ、３０ｙのノズル間寸法の１／２ずつ用紙Ｓの搬送方向と直交する方向に移動させることで、画像の解像度を２倍にすることが可能になる。同様に４回転させる場合は、記録ヘッド部１８を、用紙Ｓが通過する毎にインクジェットヘッド３０ｋ、３０ｃ、３０ｍ、３０ｙのノズル間寸法の１／４ずつ用紙Ｓの搬送方向と直交する方向に移動させることで、画像の解像度を４倍にすることが可能になる。
【００２０】
次に、画像形成が行われた用紙Ｓの搬送ドラム２０からの剥離について説明する。画像形成が行われた用紙Ｓは、剥離部材である剥離ツメ１７により搬送ドラム２０から引き離される。上述したように、用紙Ｓを静電吸着させたまま１回転以上させる場合には、搬送体ドラム２０上を用紙Ｓが回転している間は搬送ドラム２０から剥離ツメ１７を離間させ、用紙Ｓを搬送ドラム２０から剥離させるときのみ剥離ツメ１７を搬送ドラム２０に当接させる。すなわち、図示しないが、剥離ツメ１７に搬送ドラム２０に対して当接離間可能な公知の機構を設ける。
【００２１】
用紙Ｓは、搬送ドラム２０から引き離される前に、除電チャージャ２５により除電される。このように、用紙Ｓは除電チャージャ２５により除電されることにより、静電吸着力により吸着していた搬送ドラム２０から離れやすくなる。
【００２２】
用紙Ｓを除電する除電チャージャ２５は、用紙Ｓが剥離ツメ１７により搬送ドラム２０より引き離される剥離箇所において、剥離前と剥離後の用紙Ｓに対して除電を行うことが可能な位置に設けられる。すなわち、除電チャージャ２５は、搬送ドラム２０と対向し、剥離ツメ１７と搬送ドラム２０の接触点を通る直線上に設けられる。除電チャージャ２５が用紙Ｓの除電を行うことができる範囲は後述する。
【００２３】
除電チャージャ２５により除電された用紙Ｓは剥離ツメ１７により搬送ドラム２０から引き離されるが、その際に剥離放電により再度、用紙Ｓは帯電する。本実施の形態によれば、用紙Ｓは搬送ドラム２０からの剥離後に再び除電チャージャ２５により除電される。
【００２４】
図３は、除電チャージャ２５の除電領域を示す概略図である。除電チャージャ２５は、搬送ドラム２０に対向し、剥離ツメ１７と搬送ドラム２０との接触点を通る直線上に設けられ、記録媒体の搬送方向で搬送ドラムと剥離ツメとの接触点の前後の領域に除電電位を付与する位置に配置する。そして、図中の矢印Ａの範囲内において、用紙Ｓに除電電位（交流あるいは帯電と逆極性の電位）を与える。
【００２５】
図３に示す本実施形態においては、例えば、搬送ドラム２０における用紙Ｓの剥離箇所における用紙Ｓの剥離前後において、用紙Ｓにほぼ均等な除電力（除電電荷）を与えることが可能となるように剥離ツメ２７と搬送ドラム２０との接触点と除電チャージャ２５とを結んだ直線を中心に同じ角度θの範囲で除電を行うことが可能となる位置に除電チャージャ２５を配置する。このように配置することにより、用紙Ｓの搬送ドラム２０からの剥離前後のどちらか一方に除電力が集中してしまうことを防ぐことができる。
【００２６】
なお、除電チャージャ２５は、搬送ドラム２０から用紙Ｓが剥離される前後において均等な除電力を与える位置に配置するのに限る必要はない。用紙Ｓの搬送ドラム２０からの剥離前後において、どちらか一方においてより除電力が必要であると判断される場合には、より除電力が多く必要な方に意図的に除電力を多く与えるように除電チャージャ２５は配置してもよい。
【００２７】
例えば、用紙Ｓが搬送ドラム２０から剥離された後の剥離放電による帯電を除電するために、搬送ドラム２０から剥離された後において、より除電力が必要である場合の除電チャージャ２５の除電領域を図４に示す。図４の除電チャージャの除電領域は矢印Ｂで示された範囲であり、記録媒体の搬送ドラム２０からの剥離前後において各々θ１、θ２の角度の範囲で除電力が及ぶ。このθ１、θ２の関係は、θ１＜θ２となっており、搬送ドラム２０から用紙Ｓが剥離された後に、より除電力が用紙Ｓに及ぶように配置される。
【００２８】
上記の実施形態によれば、搬送体からの記録媒体の剥離箇所に設ける単一の除電器により記録媒体の剥離前および剥離後の除電を行うことができる。すなわち、記録媒体の剥離前と剥離後において、各々、除電を行う個別の除電器を設ける必要がなく、部材の数を減らすことが可能となり、装置の簡単化、コストの削減につながる。
【００２９】
インクジェット記録装置においては、記録媒体である用紙にインクが付着することにより記録媒体に帯電された電荷は低下する。そのため、インクジェット記録装置においては、電子写真方式の画像形成装置において静電吸着により用紙を搬送した場合に搬送体からの記録媒体の剥離に必要な除電電位より低い電位で記録媒体の除電ができる。すなわち、電子写真方式の画像形成装置において、上述したように搬送体から記録媒体を剥離する前後における記録媒体の除電を単一の除電器で行うと除電電位が不足する虞があるが、インクジェット記録装置においては搬送体からの記録媒体の剥離時に必要な除電電位は低いため、除電器の配置位置を適切に定めることにより、単一の除電器で搬送体からの剥離前後の記録媒体の除電を行うことができる。
【００３０】
なお、上記の実施形態においては、記録媒体の搬送体として搬送ドラム２０を用いたが、搬送体はこれに限らず、静電吸着力を利用して記録媒体を搬送するものであればよい。例えば、静電吸着力により記録媒体を吸着させる搬送ベルトを用いてもよい。
【００３１】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００３２】
１  インクジェット記録装置
２  筐体
４  用紙カセット
１３  搬送部
１５  画像形成部
１７  剥離ツメ
１８  記録ヘッド部
２０  搬送ドラム
２２  帯電ローラ
２４  メンテナンスユニット
２５  除電チャージャ
２６  スターホイール
３０ｋ、３０ｃ、３０ｍ、３０ｙ  インクジェットヘッド
【図１】
2012006382.tif 000003
【図２】
2012006382.tif 000004
【図３】
2012006382.tif 000005
【図４】
2012006382.tif 000006